(57)【要約】【課題】動物性生餌を模した形状の釣り用人工餌を製造できる製造容器を提供する。【解決手段】上部成形部材１ａと下部成形部材１ｂは、薄肉の合成樹脂で作製されており、内側同士が密着するものである。長方形状の上部成形部材１ａと下部成形部材１ｂには、一辺側から他辺側に達するように、内側から外側に向けた凹状の溝２ａ，２ｂが３列形成されている。両部材が密着したとき、成形空間２が形成される。この成形空間２で餌が成形されるが、成形される餌の形状は、動物性生餌を模した形状である。成形空間２の一辺側は注入口３となり、他辺側は排出口４となっている。また、両部材が密着する際の位置決めと結合力を持たせるために凹部５ａと凸部５ｂとで構成される結合部５が設けられている。流動性を有する釣り餌素材を注入し、固化させることによって釣り用人工餌を成形することができる。【選択図】図１
2010154809.tif 000002
【特許請求の範囲】
【請求項１】
薄肉の合成樹脂材料で形成され、向かい合うことが可能な長方形状の上部成形部材と下部成形部材よりなり、前記上部成形部材の内側と前記下部成形部材の内側とが密着可能であり、
前記上部成形部材と前記下部成形部材には、前記長方形状の一辺側から該一辺に向かい合う他辺側に達する外側に向けた凹状の溝が複数列形成されているとともに、前記上部成形部材には、前記溝のない部分に凸部および／または凹部が複数個形成され、前記下部成形部材には、前記凸部および／または凹部に対応する位置に、前記凸部および／または凹部に嵌合可能な凹部および／または凸部が複数個形成されており、
前記上部成形部材に形成された溝と前記下部成形部材に形成された溝は、前記上部成形部材と前記下部成形部材とが密着したときに、少なくとも１つの動物性生餌を模した形状の空間が形成される部分と、前記一辺において注入口となる空間が形成される部分と、前記他辺において排出口となる空間が形成される部分とを有する形状の溝であり、かつ、前記凸部と前記凹部とは嵌合するものであることを特徴とする魚の好む摂餌成分を含む流動性物質を成形するための釣り用人工餌の製造容器。
【請求項２】
前記上部成形部材と前記下部成形部材とが、前記一辺と隣り合う辺において折り曲げ可能に一体化されていることを特徴とする請求項１に記載の釣り用人工餌の製造容器。
【請求項３】
前記上部成形部材と前記下部成形部材とが、別体であることを特徴とする請求項１に記載の釣り用人工餌の製造容器。
【請求項４】
前記溝が、前記空間が複数のくびれが連続して存在する環形動物を模した空間となるような溝であることを特徴とする請求項１ないし３のいずれか１項に記載の釣り用人工餌の製造容器。
【請求項５】
請求項１ないし４のいずれか１項に記載の釣り用人工餌の製造容器の前記空間に魚の好む摂餌成分を含む物質が成形されていることを特徴とする釣り用人工餌。
【請求項６】
請求項１ないし４のいずれか１項に記載の釣り用人工餌の製造容器と、魚の好む摂餌成分を含む流動性物質と、注入器との組み合わせからなることを特徴とする釣り用人工餌キット。
【請求項７】
魚の好む摂餌成分を含む流動性物質が、加熱により固化する物質であることを特徴とする請求項６に記載の釣り用人工餌キット。
【請求項８】
魚の好む摂餌成分を含む流動性物質が、加熱冷却で固化する物質であることを特徴とする請求項６に記載の釣り用人工餌キット。
【請求項９】
魚の好む摂餌成分を含む流動性物質が凍結で固化する物質であることを特徴とする請求項６に記載の釣り用人工餌キット。
【請求項１０】
魚の好む摂餌成分を含む流動性物質が、複数の物質の反応で固化する物質であることを特徴とする請求項６に記載の釣り用人工餌キット。
【発明の詳細な説明】
【技術分野】
【０００１】
本発明は、魚の好む摂餌成分を含む流動性物質を成形して釣り用人工餌を作製するための製造容器、および、その製造容器で製造される釣り用人工餌、ならびに、釣り用人工餌キットに関するものである。
【背景技術】
【０００２】
魚釣りに用いられる釣り餌には、生きた動物を用いる生餌や、魚介類の切り身など、通常、魚が餌としているものに近い天然の動物性の餌を用いるものや、これらに疑似した毛針やルアーなどの疑似餌を用いるものもある。天然の餌と疑似餌との中間の餌として、天然の餌に似た臭いや食感を有する人工の餌（以下、「釣り用人工餌」という。）がある。この釣り用人工餌としては、ヘラ鮒釣りに用いられる練り餌が古くから知られており、最近では、天然又は合成高分子等のゲル化物の中に摂餌材料を混入したものが用いられるようになっている。
【０００３】
釣り用人工餌は、なんらかの成形を施さなければ形状は保てない。練り餌の場合であれば、釣り針に装着する際に指で適当な大きさや形に加工することが容易であるが、多くの材料は、金型で成形したり、円柱状に押し成形するか、加圧成形した後カルシウム溶液に浸漬して固化する（特許文献１）などの加工を施して形状を保つようにしている。
【０００４】
ルアーのような付加価値が高く、また素材である樹脂が形状を保ちやすいものであれば、金型による成形は好ましいが、融点の低いゲルやゲル化に時間を要する素材を金型で成形しようとすると成形サイクルが長くなるためコストが嵩んでしまう。そのため、従来は流動性のある釣り餌素材に立体的な形状を付与させようとした場合は、片面トレーやチューブ、あるいはストローに充填されていたのが一般的であった。しかし、このような成形方法で得た釣り用人工餌は、片面だけが立体形状であったり、単純な円柱状の形状のものに限られていた。特に、ストロー以外の立体形状を保った形状の釣り用人工餌を、ユーザー（釣り人）が自分で作ることは難しく、ユーザーが好みの調合をした釣り用人工餌を用いて釣りを楽しむことを困難にしている。
【特許文献１】特開平６−１６５６４７号公報
【発明の開示】
【発明が解決しようとする課題】
【０００５】
本発明は、上述した事情に鑑みてなされたもので、魚の好む摂餌成分を含む流動性物質を成形するための製造容器を提供するもので、メーカー、ユーザーともに、動物性生餌を模した形状の釣り用人工餌を、容易に成形することができるとともに、保存や取扱に適した釣り用人工餌を提供することを目的とするものである。
【課題を解決するための手段】
【０００６】
本発明は、魚の好む摂餌成分を含む流動性物質を成形するための釣り用人工餌の製造容器であって、薄肉の合成樹脂材料で形成され、向かい合うことが可能な長方形状の上部成形部材と下部成形部材よりなり、前記上部成形部材の内側と前記下部成形部材の内側とが密着可能であり、前記上部成形部材と前記下部成形部材には、前記長方形状の一辺側から該一辺に向かい合う他辺側に達する外側に向けた凹状の溝が複数列形成されているとともに、前記上部成形部材には、前記溝のない部分に凸部および／または凹部が複数個形成され、前記下部成形部材には、前記凸部および／または凹部に対応する位置に、前記凸部および／または凹部に嵌合可能な凹部および／または凸部が複数個形成されており、前記上部成形部材に形成された溝と前記下部成形部材に形成された溝は、前記上部成形部材と前記下部成形部材とが密着したときに、少なくとも１つの動物性生餌を模した形状の空間が形成される部分と、前記一辺において注入口となる空間が形成される部分と、前記他辺において排出口となる空間が形成される部分とを有する形状の溝であり、かつ、前記凸部と前記凹部とは嵌合するものであることを特徴とするものである。
【０００７】
また、本発明は、釣り用人工餌において、前記釣り用人工餌の製造容器の前記空間に魚の好む摂餌成分を含む物質が成形されていることを特徴とするものである。
【０００８】
また、本発明は、釣り用人工餌キットにおいて、前記釣り用人工餌の製造容器と、魚の好む摂餌成分を含む流動性物質と、注入器との組み合わせからなることを特徴とするものである。
【発明の効果】
【０００９】
本発明の釣り用人工餌の製造容器によれば、魚の好む摂餌成分を含む流動性物質である釣り餌素材を注入すれば、簡単に立体構造を付与することができ、なおかつ、上部成形部材と下部成形部材が互いの凹凸により、注入に際しては注入時の圧力によるバリやはみ出すことを防ぎつつ、成形後は簡単に成形体を壊さずに取り出せることができるため、加工温度が低い物質やゲルが柔らかく壊れやすい物質にも一定の形状を付与することが可能となる。また、成形したまま容器ごと、釣り用人工餌の製品として取り扱うことができるので、保存や取扱に適するとともに、ユーザーは、成形された釣り用人工餌を取り出して使用した後の製造容器は、自分で餌素材を注入して成形することができるので、使用後の製造容器を捨てることが防止でき、環境汚染に対しても有効な製造容器である。釣り餌素材は、ユーザーが自分で調合したり、好みの成分を加えることも可能であるので、ユーザーが好みの調合をした釣り用人工餌を用いて釣りを楽しむことができる。
【発明を実施するための最良の形態】
【００１０】
図１は、本発明の釣り用人工餌の製造容器の一実施例を説明するためのもので、図１（Ａ）は平面図、図１（Ｂ）は１（Ａ）のＡ−Ａ線断面、図１（Ｃ）は図１（Ｂ）において上部成形部材と下部成形部材を分離した状態の断面図である。図中、１は製造容器、１ａは上部成形部材、１ｂは下部成形部材、２は成形空間、２ａ，２ｂは溝、３は注入口、４は排出口、５は結合部、５ａは凹部、５ｂは凸部である。なお、図１（Ａ）においては、上部成形部材１ａと下部成形部材１ｂとが透明な材料で形成されていることにより、凹部５ａと凸部５ｂが結合された結合部５においては、壁面の厚さ部分が見える様子を図示しており、成形空間２は、周囲の断面形状を図示した。
【００１１】
上部成形部材１ａと下部成形部材１ｂは、ＰＰ（ポリプロピレン）、ＰＥＴ（ポリエチレンテレフタレート）、ＰＶＣ（ポリビニールクロライド）等の薄肉の熱可塑性樹脂で作製されており、内側同士が密着するものである。射出成形で形成され、低価格で作製できる。材質は、無色透明、または、着色透明として、外部から目視可能なものが好ましい。厚みは、０．１ｍｍより薄いとシート自体の強度が少なく材料を充填する際変形が生じてしまい、４ｍｍより厚いとシート自体の細部への加工が難しくなりコストも嵩むことから、０．１〜４ｍｍ程度が好ましい。
【００１２】
向かい合うように形成された長方形状の上部成形部材１ａと下部成形部材１ｂには、一辺側から他辺側に達するように、内側から外側に向けた凹状の溝２ａ，２ｂが複数列（図１では３列）形成されている。溝の数は、１列でも２列以上の複数列でもよい。上部成形部材１ａと下部成形部材１ｂが密着したとき、溝２ａ，２ｂの開口部分が密着して成形空間２が形成される。この成形空間２で餌が成形されるが、成形される餌の形状は、魚への視認性を高め、また、商品価値を向上させるために、動物性生餌を模した形状である。したがって、成形空間２に、少なくとも１つの動物性生餌を模した形状の空間部分が設けられるように溝２ａ，２ｂが形成されている。１列中に複数設けられる場合には、異なる形状のものが混在してもよい。成形空間２の一辺側は注入口３となり、他辺側は排出口４となっている。
【００１３】
上部成形部材１ａと下部成形部材１ｂとが密着する際の位置決めと結合力を持たせるために結合部５が設けられている。結合部５は、上部成形部材１ａに形成された凹部５ａと下部成形部材１ｂに形成された凸部５ｂとで構成され、両者が嵌合するようになっていることによって、注入に際しては注入時の圧力によるバリやはみ出すことを防ぎつつ、成形後は、結合部５を外すことによって簡単に成形体を壊さずに取り出すことができる。
【００１４】
この実施例では、上部成形部材１ａには複数の凹部５ａのみが形成され、下部成形部材１ｂには複数の凹部５ａに対応する位置に複数の凸部５ｂのみが形成されているが、上部成形部材１ａに凸部のみ、下部成形部材１ｂに凹部のみとしてもよく、上部成形部材１ａに凸部と凹部の両方を形成し、下部成形部材１ｂには、それぞれに結合する凹部と凸部を形成するようにしてもよい。
【００１５】
なお、上部成形部材１ａと下部成形部材１ｂとを別部材として形成したが、両部材を一体として、図１（Ａ）の一辺で折り曲げて上部成形部材１ａと下部成形部材１ｂとを結合するようにしてもよい。折り曲げる辺は、溝２と平行する辺とするのがよい。
【００１６】
図１で説明した実施例では、上部成形部材１ａの溝２ａと下部成形部材１ｂの溝２ｂによって形成される空間において動物性生餌を模した形状を環形動物としたが、本発明は、環形動物に限られるものではない。
【００１７】
図２に他の形状の具体例を示す。図２（Ａ）は、小魚を模した形状である。６ａは小魚部分、６ｂは連結部分である。図は平面形状を図示したが、断面形状は、小魚に相応したものとするのがよい。この製造容器で成形されたものは、連結部分６ｂで切り離し、小魚部分６ａを釣り針に付けて使用する。
【００１８】
図２（Ｂ）は、小海老を模した形状である。７ａは小海老部分、７ｂは連結部分、７ｃはひげ部分である。図は平面形状を図示したが、断面形状は、小海老に相応したものとするのがよい。ひげ部分７ｃは、はさみの部分に魚の好む摂餌成分を含む流動性物質を注入する際の空気抜けの役目を果たすとともに、ひげをも成形して、疑似効果を向上できるが、流動性物質の粘度によっては、ひげの成形が十分にできない場合があるが、ひげは必ずしも不可欠としないから、成形できなくとも差し支えはない。この製造容器で成形されたものは、連結部分７ｂで切り離し、小海老部分７ａを釣り針に付けて使用する。この形状のものは、注入は、図の下方から上方へ向かう方向に充填すると、はさみの部分までスムーズに充填できる。ひげ部分７ｃは、はさみの部分に充填する際に、空気を連結部分７ｂに逃がす役割をも果たしている。
【００１９】
図２（Ｃ）は、魚卵、この例では、イクラを模した形状である。８ａはイクラ部分、８ｂは連結部分である。イクラ部分８ａは、ほぼ球形である。この製造容器で成形されたものは、連結部分７ｂで切り離し、イクラ部分８ａを釣り針に付けて使用する。
このように、本発明は、適宜の形状を採用することができる。したがって、本発明でいう動物性生餌を模した形状とは、通常、生きている動物性の生餌（なまえさ）の形状、例えば、小魚、虫、幼虫、環形動物等を模した形状に限らず、これらの一部分の形状や、卵、さなぎ等の生餌（なまえさ）の形状を含む用語として用いている。
【００２０】
本発明の製造容器に注入する釣り餌素材として、魚の好む摂餌成分を含み、固化させることが可能な流動性物質を用いる。その流動性によって製造容器に注入することができ、注入後、固化させることによって、動物性生餌を模した形状の釣り餌を作製できる。固化させる方法としては、加熱による方法、加熱冷却による方法、凍結による方法、複数の物質の反応（重合あるいは架橋も含む）による方法、等がある。
【００２１】
加熱により固化する物質としては、タンパク質を含む物質が用いられる。タンパク質は加熱によって固化する代表例である。具体例としては、魚のすり身、グルテン、乳清タンパク質などが用いられる。また畜肉や魚肉にトランスグルタミナーゼを添加することにより弾力性のあるゲルを得ることが出来る。市販品では味の素株式会社の商品名「アクティバ」を澱粉などと水ときして魚肉などに加え混合し、適宜摂餌成分を加えて充填、加熱処理する。
【００２２】
乳清タンパク質の代表的なものは、牛乳ホエイから低分子化合物を実質的に除去して得られるものであり、市販品としては、株式会社第一化成の商品名「ジェネシス」がある。乳清タンパク質に、塩（飽和食塩水を数％添加するのが好ましい）を加えた流動性物質は、加熱することにより、しっかりしたゲルを得ることができる。その際摂餌成分は塩を加える前に混合しておく。グルコマンナンは、水で膨潤させたものにアルカリ溶液を混ぜて速やかに製造容器に充填後、加熱成形させるのがよい。摂餌成分はアルカリ処理する前に混合しておく。卵白やすり身は摂餌成分を混合させておいてから充填しそのまま加熱処理することによりゲル化する。
【００２３】
これら加熱により固化する物質に、魚の好む摂餌成分を含有させて、流動性を持たせた物質が釣り餌素材であるが、魚の好む摂餌成分としては、オキアミ、エビ、カニ、アサリ、ホタテ、イワシ、カツオ、マグロ、イカ、ウニ等の魚介類や、サナギや、その他の動物の肉や内臓等、の動物性の釣り餌材料をすり潰したり、乾燥粉末としたもの、あるいは、これから取り出したエキス、油、または核酸、アミノ酸等、さらには、これらの混合物等を用いることができる。もちろん、合成によって得られた物質でもよく、要は、魚にとって餌として好まれる成分が含有されていればよく、各種アミノ酸混合物、動物エキスならびにその酵素分解品、酵母エキス等を用いることができる。なお、すり身の場合は、魚の好む成分が含有されているので、特に魚の好む成分を含有させなくてもよいが、他の魚の好む成分を含有させてもよい。なお、すり身の場合は、カルシウムなど二価のイオンを多く含む摂餌物質を過剰に添加するとゲルの形成が阻害され、固化を妨げるため、注意が必要である。またグルコマンナンの場合はアルカリ処理の際にｐＨを下げる摂餌物質を過剰に添加するとゲルの形成が阻害され、固化を妨げるため、注意が必要である。
【００２４】
加熱冷却で固化させる場合、冷却前に充填しておく必要があるため火傷に注意さえすれば、家庭用の鍋などの調理器具で簡単に調整できるためユーザーにとっては最も利用しやすいゲルである。これらの物質は水に膨潤、または分散させた後、加熱溶解し、充填後冷却することによりゲル化、成型品を得ることができる。加熱冷却で固化する物質は、例えば、カラギーナン、寒天、ゼラチン、澱粉などがある。これらの物質は加熱された状態において流動性を有し、冷却により固化する。この物質においても、加熱溶解後に上述した魚の好む摂餌成分を含有させ充填することにより、成型用の釣り餌素材として用いることができる。
【００２５】
凍結で固化する物質としては、ＰＶＡ（ポリビニールアルコール）が一例である。ＰＶＡを水で膨潤させたものを加熱溶解後、凍結させることによりゲル化する。したがって、加熱溶解したＰＶＡ溶液に魚の好む摂餌成分を含有させておくことにより、成形用の釣り餌素材として用いることができる。乳清タンパクも、塩（飽和食塩水を数％添加するのが好ましい）を加えた後、凍結すると弱いゲルが得られるから、魚の好む摂餌成分を含有させておくことにより、成形用の釣り餌素材として用いることができる。
【００２６】
複数の物質の反応で固化する物質としては、キサンタンガムとローカストビーンガムがその一例である。双方を別々に一定の濃度になるように水溶液を作り、それらを複合させた後、加熱溶解。充填後に冷却するとゲル化する。双方の水溶液を複合させ充填後に加熱溶解させ冷却して固化させてもよい。摂餌成分の混合は複合の際、あるいは加熱溶解させた時点で充填の直前に行うのが良い。第２の例は、アルギン酸と塩化カルシウムである。アルギン酸溶液に魚の好む摂餌成分を混合しておき、塩化カルシウム溶液を添加し混合したら速やかに充填を完了させることによりゲル化する。第３の例はアクリルモノマーとアクリルナトリウムを水に溶解させその混合物にメチレンビスアクリルアミドを加え、重合開始剤として過硫酸アンモニウムを添加、混合した後に充填する。摂餌成分は細かく砕いた固形物を重合開始剤添加直前に分散させておくとよい。この他にはカリミョウバンの水溶液を作り、ＣＭＣ（カルボキシメチルセルロース）をエタノールに均等に分散させたものを攪拌しながらカリミョウバンの水溶液に混合し、充填する。摂餌成分はＣＭＣとエタノールを混合させた物を加えた直後に速やかに追加し素早く充填を完了させる。
【００２７】
本発明は、このように、流動性を有し、固化が可能な物質を用いて、製造容器の注入口から成形空間に注入した後、固化をさせて、動物性生餌を模した形状の釣り用人工餌を製造することができるのであるが、この釣り用人工餌をユーザーに提供するには、製造容器から取り出したものを、適宜の容器に納めたり、包装を施して製品とすることができる。
【００２８】
また、製造容器から取り出さずに、成形したままの状態で、販売するなどによってユーザーに提供することもできる。ユーザーは、釣り場で上部成形部材と下部成形部材とが嵌合されている凸部と凹部とを取り外して、釣り用人工餌を用いて釣りをすることができる。釣り用人工餌を製造容器ごとユーザーに提供した場合には、釣り用人工餌を取り出して空になった製造容器がゴミとなってしまう可能性が高い。
【００２９】
そこで、ユーザーが釣り餌素材を製造容器に注入して自分で釣り用人工餌を作製することができ、空になった製造容器をゴミとして捨てることを防止できる。この観点から、製造容器と釣り餌素材と注入器を組み合わせて釣り用人工餌キットとすることにより、ユーザーが本発明の製造容器を用いて釣り用人工餌を作製することができる。釣り餌素材である、魚の好む摂餌成分を含む流動性物質は、注入器に収納されていても、別の容器に収納されていてもよい。ただし、２以上の物質の反応により固化させる釣り餌素材の場合は、別々の容器に収納しておき、ユーザーが、作製の際に混合して注入するようにする。このキットにおいては、ユーザーは、好みの成分を添加して釣り用人工餌を作成することもできる。
【００３０】
注入器は、製造容器の注入口に挿入できるノズル部分と収容されている釣り餌素材をノズル部分から押し出しことができる圧力を与えることができる容器であれば、いかなる形状、構造のものでもよい。
【００３１】
図３に注入器の例を示す。９ａは加圧部、９ｂはノズル部分である。図３（Ａ）は、シリンジである。医療用の使い捨ての注射器をそのまま用いてもよく、同様の構造のものを別途に作製してこれを用いてもよい。この注入器が用いられる製造容器は、注入口（図１の「３」）がノズル部分９ｂの外径に適合するように設計されるのがよい。
【００３２】
図３（Ｂ）は、ヘラブナ釣りの餌の作製に用いられるおかゆポンプである。構造は、原理的にはシリンジと同じであり、これを注入器として用いる場合の製造容器は、注入口（図１の「３」）がノズル部分９ｂの外径に適合するように設計されるのがよい。
【００３３】
図３（Ｃ）は、軟質の樹脂の容器であり、マヨネーズの押出容器と同様の形状としてもよい。ノズル部分は、製造容器の注入口（図１の「３」）の内径に適合するノズルであればよい。市販の生クリーム充填用のノズルを用いてもよく、その場合は、製造容器の注入口（図１の「３」）がノズル部分９ｂの外径に適合するように設計されるのがよい。
【００３４】
本発明において、釣り餌素材が流動性を有しているものであることは上述したが、この流動性は、製造容器への充填の際に流動性を有しているものである。すなわち、製造容器の開口部から注入可能な流動性を有していればよく、硬度のある混入物が混合されていても、ノズルの内径よりも小さいものであれば注入、充填により一定の形状を保つことが可能となる。したがって、硬度のある混入物が混合されていても、注入可能な流動性があればよいものである。
【００３５】
釣り餌素材は、製造容器に充填する時点で流動性を有していればよいのであるから、保管や流通に際しては、粉体であっても、液体であっても、あるいは、粉体と液体のセットでもよい。また、混合させると反応を起こすような成分を有するものでは、それぞれを別の包装として、流通させても構わない。例えば、集魚剤とともに、澱粉やカラギーナン、アルギン酸などは、一定の重量を小袋に充填したものを、セットにしてもよい。一方、塩化カルシウムのような、液化させても安定性の高い材料は、点眼溶液を充填するような小型の容器に封入しておけば、混合の際に分量を把握するのに便利である。また、必要に応じて、小型の計量カップや、計量さじなどもセットに加えておけば、釣り餌の作製の際、計量ミスを減少させることができる。
【図面の簡単な説明】
【００３６】
【図１】本発明の釣り用人工餌の製造容器の一実施例を説明するためのもので、図１（Ａ）は平面図、図１（Ｂ）は１（Ａ）のＡ−Ａ線断面、図１（Ｃ）は図１（Ｂ）において上部成形部材と下部成形部材を分離した状態の断面図である。
【図２】成形空間の具体例を示す説明図である。
【図３】注入器の具体例の説明図である。
【符号の説明】
【００３７】
１…製造容器、１ａ…上部成形部材、１ｂ…下部成形部材、２…成形空間、２ａ，２ｂ…溝、３…注入口、４…排出口、５…結合部、５ａ…凹部、５ｂ…凸部。
【図１】
2010154809.tif 000003
【図２】
2010154809.tif 000004
【図３】
2010154809.tif 000005